(57)【要約】【課題】異常給水状態においても、洗浄槽外に水が溢れる前に給水異常を検知し、使用者への異常報知を早める、もしくは、水負荷が軽いうちに排水動作を行ない、ブラシレスモータの脱調を防止し、信頼性を向上させる。【解決手段】食器を収納する洗浄槽内に洗浄水を循環させる食器洗浄機で、前記洗浄槽の底部に回転自在に内置されている洗浄ポンプと、該洗浄ポンプを駆動する電動機とを有し、ノズルアーム、洗浄ポンプ及び電動機の回転中心が縦に同心的に、かつ電動機の上側にノズルアームおよび洗浄ポンプが位置するものにおいて、該洗浄槽底部に貯水された洗浄水を該洗浄ポンプによって加圧して噴射することにより前記食器を洗浄する食器洗浄機において、洗浄時の所定水位を検出する為の第一水位検出手段と、所定水位異常に給水された時の異常水位を検出する為の第二水位検出手段を備える。【選択図】　図１
2004024287.tif 000002
【特許請求の範囲】
【請求項１】
食器を収納する洗浄槽内に洗浄水を循環させる食器洗浄機で、前記洗浄槽の底部に回転自在に内置されている洗浄ポンプと、該洗浄ポンプを駆動する電動機とを有し、ノズルアーム、洗浄ポンプ及び電動機の回転中心が縦に同心的に、かつ電動機の上側にノズルアームおよび洗浄ポンプが位置するものにおいて、該洗浄槽底部に貯水された洗浄水を該洗浄ポンプによって加圧して噴射することにより前記食器を洗浄する食器洗浄機において、洗浄時の所定水位を検出する為の第一水位検出手段と、所定水位以上に給水された時の異常水位を検出する為の第二水位検出手段を前記洗浄槽内に備えたことを特徴とする食器洗浄機。
【請求項２】
第一水位検知手段及び第二水位検知手段が一対のサーミスタにより構成される請求項１記載の食器洗浄機。
【請求項３】
異常水位を検出する為の第二水位検出手段の出力に応じて、異常給水報知を行なう請求項１又は２記載の食器洗浄機。
【請求項４】
異常水位を検出する為の第二水位検出手段の出力に応じて、排水ポンプを駆動する請求項１または２記載の食器洗浄機。
【発明の詳細な説明】
【０００１】
【発明の属する技術分野】
本発明は、本発明は食器を洗浄槽内に設置し、洗浄槽内で洗浄液が循環する食器洗浄機に関する。
【０００２】
【従来の技術】
食器洗浄機は、洗浄槽の底部に回転自在に内置されている洗浄ポンプと、該洗浄ポンプを駆動するブラシレスモータ（電動機）とを有し、洗浄槽底部に貯水された洗浄水を該洗浄ポンプによって加圧して噴射することにより前記食器を洗浄する。また、洗浄ポンプの回転方向を逆方向にすることにより洗浄槽内に貯水された洗浄水を機外に排水するようにしている。食器を洗浄する際に洗浄槽内に給水される水位は、一対のサーミスタにより構成される水位検出手段により判定される。水位検出手段として用いられる一対のサーミスタは、片方を基準側、片方を検出側とし、検出側のサーミスタは電流により自己加熱をさせる。基準側サーミスタの出力電圧は、水がない状態、すなわち空気中でも水中でも、周囲の媒質に関係なく、周囲温度に応じて変化するサーミスタ抵抗値に基づく電源電圧の分圧比により、出力電圧が決まる。検出側のサーミスタも基本的には基準側のサーミスタと同様に、電源電圧の分圧比で出力電圧が決まるが、検出側サーミスタは電流により自己加熱されている為、水が無い空気中と水中では、周囲媒質の熱伝達特性の相違により、出力電圧が変化する。周囲温度が同一のとき、検出側サーミスタ出力電圧は、空気中より水中の方が出力電圧が低くなる。図４に示すように、洗浄水が入っていない状態、すなわち空気中では常に検出側サーミスタ出力電圧＞基準側サーミスタ出力電圧となっているが、水中では検出側サーミスタ出力電圧＜基準側サーミスタ出力電圧という関係が成立している。
【０００３】
図６に給水過程のフローチャートを示す。まずマイコンが給水を開始する指令を出したとして、これをステップＳ６−１とする。次のステップＳ６−２にて、マイコンの指令により、給水バルブが開き、洗浄槽内に給水が行なわれる。ステップＳ６−３に移行すると、洗浄槽内の所定の水位に達するまでは、洗浄時の所定水位の位置に取り付けられている水位検出手段は、検出側サーミスタ出力電圧＞基準側サーミスタ出力電圧となっている。洗浄槽内に水が貯まってきて、所定の水位に達すると、一対のサーミスタが両方とも水中に没し、検出側サーミスタ出力電圧＜基準側サーミスタ出力電圧と大小関係が逆転する。ステップＳ６−３では、給水開始時から検出側サーミスタ出力電圧＜基準側サーミスタ出力電圧と関係が電圧の大小関係が逆転するまでの時間、すなわち、ステップ６−３に移ってから、ステップＳ６−４に移るまでの時間ｔ１を計測しておき、次のステップＳ６−４にて、どのくらい給水を続けるかという時間ｔ２が決定される。次のステップＳ６−５において、ステップＳ６−４での計算結果に基づき、さらにｔ２時間給水した後、次のステップＳ６−６で給水バルブが閉じられ、ステップＳ６−７で給水が終了する。
【０００４】
【発明が解決しようとする課題】
上記のサーミスタによる水位検知手段は、水位検出手段取付け位置での基準側サーミスタ出力電圧と検出側サーミスタ出力電圧の逆転現象により、水の有無を判定する為、所定水位における検知精度は高い。反面、サーミスタが水没後は、媒質の変化が無くなってしまう為、どのくらい水が貯まっているかという絶対水位の判定はできない。その為、例えば給水中に給水バルブが故障した場合、図９のフローチャートで示すような処理を行なっている。図９のフローチャートについて説明すると、給水中に給水バルブが故障するなどして、異常給水状態になったとし、これをステップＳ９−１とする。次のステップＳ９−２では、前述の如く、絶対水位の判定が行われない為、水位が溢水口の高さに達すると、ステップＳ９−３の状態となり、洗浄槽外に水が漏れる。洗浄槽外に水が溢れると、次のステップＳ９−４の溢水検知段階に移行し、溢れた水が一定水位に達し、本体下部の一対の電極からなる溢水センサにより、溢水が検知されると、次のステップＳ９−５にて制御回路が異常と判断し、溢水異常報知した後、ステップＳ９−６で洗浄ポンプを逆方向に回転させて洗浄槽内の排水動作を開始し、異常水位に対する処理を行なっている。しかしながら、本方式では、使用者が給水異常に気付くのが遅くなってしまう、さらに一度洗浄槽内が満杯になってから排水動作を行なうので、通常の洗浄時・排水時の水負荷に比べて負荷が増大してしまう。ブラシレスモータをセンサレスで制御している場合、モータ回転時の誘起電圧を捉え、回転子位置信号として生成し、モータ通電タイミングの制御を行なっている。その為、通電タイミングを制御する為の回転子位置信号はモータが回転しないと発生しない。回転子位置検出信号は、モータの回転に基づく為、負荷の影響を受けやすいというデメリットを持っており、必要以上の負荷変動は好ましくなく、上記負荷の増大により、モータ通電タイミングの信号と回転子位置検出信号の位相ずれが大きくなり、ブラシレスモータが脱調しやすい状態になるという問題があった。
【０００５】
本発明の目的は、上記課題を鑑み、洗浄槽底部に貯水された洗浄水を該洗浄ポンプによって加圧して噴射することにより前記食器を洗浄する食器洗浄機において、異常水位を検出する為の水位検出手段を洗浄水位検知用と別に洗浄槽内に設けることにより、異常給水状態においても、洗浄槽外に水が溢れる前に給水異常を検知し、使用者への異常報知を早める、もしくは、水負荷が軽いうちに排水動作を行なうことにより、ブラシレスモータの脱調を防止し、信頼性を向上させることにある。
【０００６】
【課題を解決するための手段】
本発明は上記目的を達成するために、食器を収納する洗浄槽内に洗浄水を循環させる食器洗浄機で、前記洗浄槽の底部に回転自在に内置されている洗浄ポンプと、該洗浄ポンプを駆動する電動機とを有し、ノズルアーム、洗浄ポンプ及び電動機の回転中心が縦に同心的に、かつ電動機の上側にノズルアームおよび洗浄ポンプが位置するものにおいて、該洗浄槽底部に貯水された洗浄水を該洗浄ポンプによって加圧して噴射することにより前記食器を洗浄する食器洗浄機において、洗浄時の所定水位を検出する為の第一水位検出手段と、所定水位異常に給水された時の異常水位を検出する為の第二水位検出手段を上記洗浄槽内に備えたことを課題を解決するための手段としている。
【０００７】
【発明の実施の形態】
以下、本発明の実施の形態の一例を添付の図面を参照し、説明する。
【０００８】
図１は、この食器洗浄機の縦断側面図である。洗浄槽２５は、図３に示す如く、本体ケース２６に上下２段に各々独立して、もしくは上段、下段のいずれか一段のみに備わる。洗浄槽２５はスライドレール２７とローラー２８により引出し可能に備えられている。食器３は洗浄槽２５に備わる食器棚２９の上に並べられる。食器３を洗浄する洗浄用の洗浄液は給水バルブ５９から給水ホ−ス６０を通じて洗浄槽２５に供給される。洗浄槽２５の底部の直下には回転子３０を磁石（永久磁石）で形成するブラシレスモータ３１（電動機）が設けられている。ブラシレスモータ３１の回転軸には洗浄槽２５側に洗浄ポンプのポンプ羽根３２が取付けられる。ノズルアーム３３は上側に洗浄液を噴射する複数の噴射孔３４を有し、中央部には洗浄液吸込用の開口部３５が設けられている。このノズルアーム３３は開口部３５内でポンプ羽根３２に対し適当な間隔を保って洗浄液吸込ガイド３６の上に回転可能に取付支持されている。洗浄液吸込ガイド３６は洗浄槽２５の底部に対し一定の間隔を保って伸長し、洗浄槽２５の最深部近傍で外周にリング状の洗浄液吸込み用開口部３７を有し、中央部はノズルアーム３３の開口部３５に対応した洗浄液吐出用の開口部３８を有する。すなわち、洗浄槽２５の底部側に回転自在に設けられるノズルアーム３３と、ノズルアーム３３の中央部に設けられる洗浄液吸込用の開口部３５に回転自在に内置されている洗浄ポンプのポンプ羽根３２と、洗浄ポンプのポンプ羽根を駆動する電動機とを有し、ノズルアーム３３、洗浄ポンプおよび電動機の回転軸心が縦に同心的に、かつ電動機の上側にノズルアーム３３および洗浄ポンプが位置するように配置している。そして、洗浄槽２５の底部には洗浄液（洗浄水）が集まる最深部（集水部）を電動機の外側周囲に設け、かつ洗浄槽２５の底部は集水部から離れるところを高くなるように傾斜させて形成し、ノズルアーム３３と洗浄槽２５の底部との間には、洗浄ポンプの吸込口側に洗浄水を導く洗浄液吸込ガイド３６（洗浄水吸込ガイド）を設け、かつ洗浄水吸込ガイドの外周側を下向きに延在して洗浄液吸込み用開口部３７（洗浄液吸込用開口部）を設け、該洗浄液吸込用開口部を集水部に対向するように配置した構成になっている。洗浄ポンプの運転で洗浄液吸込用開口部より吸い込まれた洗浄水は、洗浄水吸込ガイドと洗浄槽２５の底部との間に形成される流通路を流れて洗浄ポンプに吸い込まれ、ポンプ羽根３２でノズルアーム３３に送られた洗浄水は噴射孔３４から洗浄槽２５内に噴射される。この噴射する洗浄水で食器３は洗浄される。また、洗浄液吸込ガイド３６はねじ３９により洗浄槽２５に固定されている。ブラシレスモータ３１の回転軸には、ポンプ羽根３２の反対側（下端側）に排水ポンプのポンプ羽根４０を取付けると共に、ポンプ羽根４０の周囲にポンプ室４１を構成する。ポンプ室４１は洗浄槽２５の水溜部４２に短い導水部４３で連通されている。ポンプ羽根４０は、ポンプ羽根３２がポンプ作用を実現する回転方向と反対に回転したときに、排水ポンプとしての機能を生じるような羽根に構成されている。排水ポンプのポンプ羽根４０が排水ポンプとしての機能を果したときは、洗浄槽２５内の洗浄後の洗浄液を排水ホース４４を通じて、食器洗い機の外部に排水する。洗浄時は、ブラシレスモータ３１と洗浄ポンプのポンプ羽根３２の回転により、洗浄槽２５の最深部近傍から洗浄液を吸上げ、洗浄液吸込ガイド３６を通じて、洗浄液吸込ガイド３６の開口部に導く。更に吸上げられた洗浄液はポンプ羽根３２で加速され、ノズル３３の開口部３５から、ノズル３３に設けたケーシング４５に沿って更に加速された状態で、噴射孔３４に導かれる。洗浄液はノズル３３の中で加圧されるため、複数の噴射孔３４から高速で噴射される。尚、ノズル３３は洗浄液が狭いケーシング４５を通過するときの反作用および複数の小さな噴射孔３４から高速で噴射される時の反作用により、一定の方向に回転する。洗浄液ガイド３６の洗浄液吸込み用開口部３７は、有効面積が確保できる範囲内で格子あるいは部分開口でも良い。洗浄液吸込ガイド３６は、洗浄槽２５の底部に設けた凸型部に備えられる。凸型部は、洗浄槽２５の底部を隆起させて形成したもので、下面が電動機収納部になる。洗浄槽２５の底部に備わる前記最深部（集水部）は、電動機収納部の下部外側周囲に設けられる。洗浄槽２５の底部は、前記最深部（集水部）から離れると高くなるようにしている。前記最深部（集水部）が洗浄槽２５の中央に位置するので、洗浄槽２５の外周側に向かって底部は高くなるように傾斜した形状をしているのである。前記洗浄液吸込ガイド３６（洗浄水吸込ガイド）は、電動機収納部の外側面に間隔を隔てて沿うように形状をなしている。すなわち、洗浄水吸込ガイドは、電動機収納部の上部に対向する円板状の傘部と電動機収納部の側面に対向する台形状の筒部を有する。全部は、ほぼ平板状で、外周に向かって幾分下がるように傾斜している。筒部は傘部の外周から下向きに折れ曲がって延在する台形状をなしている。このような形状をした洗浄水吸込ガイドと電動機収納部の外側との間に形成される導水路としての流通路は、洗浄槽２５の最深部（集水部）に洗浄液吸込ガイド３６（洗浄水吸込ガイド）の洗浄液吸込み用開口部３７を設定することにより、最短となる。このため、洗浄液面の高さを低くしても、安定した洗浄液循環が行われる。洗浄液吸込ガイド３６の近傍に、洗浄液の加温と、食器乾燥時のファン５３により送風される空気の加温を兼ねるヒータ４６を設置する。ヒータ４６はシーズヒータでも面状のヒータでも良い。残業捕集用のフィルター４８は洗浄槽２５の底部に設けられ、洗浄後の洗浄水を排水するときに、残菜を捕集する。ヒータ４６は洗浄槽２５の底部に設けた感熱板４９のアーム５０により一端を支持され、ヒータ４６の温度は感熱板４９と熱的に１体となった温度センサ５１により温度検知情報を得て、コントローラ５２により制御している。洗浄槽２５の上部のシール板の洗浄槽の上端全周に該当する部分には、中空状のパッキン５４が設けられており、食器洗浄機が収納されたことを検知する検知器（図示せず）（検知手段）の信号を受けて、洗浄槽２５側に取付けたエアーポンプ５６で発生した加圧空気をパイプ５７を通じて、パッキン５４に加圧空気を送る横成とすることにより、食器洗浄機の収納後に電源スイッチ５８を操作するだけで収納操作は終了する。使用状態では、パッキン５４が加圧空気により洗浄槽上部に加圧されているため、洗浄槽２５が容易に引出すことができないように構成されている。
【０００９】
図２は、この食器洗浄機の電気回路のブロック図である。
【００１０】
コントローラ５２は、高周波ノイズを遮断するフィルタ回路６２と全波整流回路６３と電動機駆動インバータ回路６４とを備える。
【００１１】
フィルタ回路６２は、高周波コイルＬ１とバイパスコンデンサＣ１を備え、高周波ノイズが商用電源回路６１に放出されるのを防止する。
【００１２】
全波整流回路６３は、全波整流ダイオードブリッジＤ１と平滑コンデンサＣ２を備え、商用交流電圧を整流及び平滑して直流電圧を出力する。
【００１３】
電動機駆動インバータ回路６４は、スイッチングパワー素子ＦＥＴ１〜６によって構成した３相ブリッジ回路と制御用ドライバ６４ａを備える。回転子位置検出回路６５はブラシレスモータ３１の回転時に発生する誘起電圧を捉え、回転子位置信号に変換して出力する。制御回路７５内のマイクロコンピュータが、回転子位置検出回路６５の出力に応じて、制御用ドライバ６４ａを通じて、スイッチング素子ＦＥＴ１〜６を制御することによって該直流ブラシレスモータ３１の固定子巻線３１ａの各相に選択的に矩形波電圧で効率よく給電する。
【００１４】
補助電源７６は、この制御回路７５内で使用する１５Ｖクラスの電圧ＶＡと、５Ｖクラスの電圧ＶＣＣを生成する。
【００１５】
制御回路７５は、マイクロコンピュータによって構成し、操作パネル１１に設けた各種の操作ボタンスイッチ１１ａからの指示に従って、リレー７２を制御し、エアーポンプ５６にてパッキン５４の加圧空気の制御を行い、リレー７１を制御して給水バルブ５９を開閉して食器洗浄槽２５内に給水し、リレー７３を制御してヒータ４６に給電することにより、洗浄水又は乾燥空気を加熱し、ファンモータ電源回路６６によりファンモータ５３に給電する直流電圧を制御して、乾燥ファンを制御する。これらの制御は、電動機駆動インバータ回路６４から入力される回転速度情報信号や食器洗浄槽内の水位を検出する水位検出手段６７、６８および洗浄槽外への溢水を検知する溢水センサ６９および洗浄水温および乾燥温度を検出する温度センサ５１の検出信号を監視しながら実行し、制御内容を操作パネル１１に設けた表示器１１ｂに表示する。
【００１６】
ところで、食器洗浄槽２５内への給水は第一水位検出手段６７により監視される。一対のサーミスタによる第一水位検知手段６７は、洗浄時の所定水位の位置に取り付けられている。給水前の状態では、検出側サーミスタ出力電圧＞基準側サーミスタ出力電圧となっている。図６は給水過程のフローチャートを示す。まずマイコンが給水を開始する指令を出したとして、これを給水開始のステップＳ６−１とする。次のステップＳ６−２にて、マイコンの指令により、リレー７１が通電され、給水バルブ５４が開き、洗浄槽２５内に給水が行なわれる。ステップＳ６−３に移行すると、洗浄槽２５内の所定の水位まで水が貯まらないうちは、洗浄時の所定水位の位置に取り付けられている第一水位検出手段６７は、検出側サーミスタ出力電圧＞基準側サーミスタ出力電圧となっている。洗浄槽２５内に水が貯まってきて、所定の水位に達すると、一対のサーミスタが両方とも水中に没し、検出側サーミスタ出力電圧＜基準側サーミスタ出力電圧と大小関係が逆転する。ステップＳ６−３では、給水開始時から検出側サーミスタ出力電圧＜基準側サーミスタ出力電圧と関係が電圧の大小関係が逆転するまでの時間、すなわち、ステップ６−３に移ってから、ステップＳ６−４に移るまでの時間ｔ１を計測しておき、次のステップＳ６−４にて、次のステップＳ６−５において、どのくらい給水を続けるかという時間ｔ２が決定される。ステップＳ６−５では、ステップＳ６−４での計算結果に基づき、さらにｔ２時間給水した後、次のステップＳ６−６でリレー７１の通電をオフにし、給水バルブ５４を閉じ、ステップＳ６−７で給水が終了する。
【００１７】
仮に給水バルブ５４、もしくはリレー７１を駆動する回路が給水途中で故障するなどして一定時間経過後も給水が継続された場合、異常給水状態となる。異常給水状態時の処理の流れを図７のフローチャートを用いて説明する。給水バルブ５４の故障等で異常給水状態になったとして、それをステップＳ７−１とする。次のステップＳ７−２では、第二水位検出手段６８の取付け位置まで水位が達していない状態では、第二水位検出手段６８において、検出側サーミスタ出力電圧＞基準側サーミスタ出力電圧となっている。洗浄槽２５内の水位がさらに上昇し、第二水位検知手段６８を取り付けた位置に達すると、第二水位検出手段６８においても、基準側サーミスタ出力電圧と検出側サーミスタ出力電圧が水没する。すると、第一水位検出手段の時と同様に、第二水位検出手段６８においても検出側サーミスタ出力電圧＜基準側サーミスタ出力電圧が逆転する。第二水位検出手段で出力電圧の逆転が検出されると、異常給水により、水位が高くなっていると判定し、次のステップＳ７−３に移行し、異常放置により、使用者に報知し、さらにステップＳ７−４にてブラシレスモータ３１を逆回転させて、洗浄槽外への排水動作を開始する。
【００１８】
また、通常の洗浄動作において、洗浄槽内に噴射される洗浄水の付着により、す水位が第二水位検出手段取付け位置まで達していないにもかかわらず、図７のステップＳ７−２の状態が発生して、第二水位検出手段６８において、検出側サーミスタ出力電圧＜基準側サーミスタ出力電圧となってしまい、誤検知してステップＳ７−３に移行することを防止する為、第二水位検出手段６８の取付け部は図５に示すように、容易に水がかからない構造とし、真に異常給水状態が発生して水位が取付け位置まで達した場合のみ動作するような構造とする。
【００１９】
また、異常給水手段を検知する為の水位検出手段は、複数個設けてもよい。複数個設けた場合の一例を図８のフローチャートを用いて説明する。異常給水状態が発生したとして、それをステップＳ８−１とする。次のステップＳ８−２では、まず第二水位検出手段において、検出側サーミスタ出力電圧＜基準側サーミスタ出力電圧となり、水位が第二水位検出手段の取付け位置まで達したことを判定し、ステップＳ８−３に移行し、異常報知を行なう。次にステップＳ８−４に移行し、さらに、洗浄槽内の第二水位検出手段よりも上の位置に設けてある第三水位検知手段においても、検出側サーミスタ出力電圧＜基準側サーミスタ出力電圧となり、第三水位検知手段まで水位が達したことを判定し、ステップＳ８−５に移行し、今度は排水動作を開始するなど、処理を段階的に分割することもできる。
【００２０】
上記の如く、洗浄水位を検出する第一水位検出手段と、異常水位を検出する第二水位検出手段を洗浄槽内に設けたことにより、洗浄槽内での洗浄水位到達後の異常水位検知を可能にすることで、ブラシレスモータの水負荷の増大を抑えて、脱調を防止し、信頼性を向上させている。また、洗浄槽外に水が溢れる前に異常水位を洗浄槽内で検知するようにしたことから、給水バルブ故障時の異常給水による洗浄槽外への溢水を未然に防ぐことができる。
【００２１】
【発明の効果】
本発明によれば、食器を収納する洗浄槽内に洗浄水を循環させる食器洗浄機で、前記洗浄槽の底部に回転自在に内置されている洗浄ポンプと、該洗浄ポンプを駆動する電動機とを有し、ノズルアーム、洗浄ポンプ及び電動機の回転中心が縦に同心的に、かつ電動機の上側にノズルアームおよび洗浄ポンプが位置するものにおいて、該洗浄槽底部に貯水された洗浄水を該洗浄ポンプによって加圧して噴射することにより前記食器を洗浄する食器洗浄機において、洗浄に必要な貯水量を検知する水位検出手段が一対のサーミスタにより構成されるものにおいて、洗浄時の所定水位を検出する為の第一水位検出手段と、所定水位異常に給水された時の異常水位を検出する為の第二水位検出手段を備えたことにより、異常給水状態が発生した場合でも洗浄槽外に水を溢れさせることなく、異常水位を検知することができ、使用者へのより早い報知が可能になるとともに、ブラシレスモータへの水負荷の増大を抑え、脱調状態を防止することができ、故障時の信頼性を高めることができる。
【図面の簡単な説明】
【図１】本発明の実施形態にかかるもので、食器洗浄機の縦断面図である。
【図２】本発明の実施形態にかかるもので、食器洗浄機の回路ブロック図である。
【図３】本発明の実施形態にかかるもので、食器洗浄機を引出した状態を示す斜視図である。
【図４】本発明の実施形態にかかるもので、水位検出手段の特性図である。
【図５】本発明の実施形態にかかるもので、第二水位検出手段の取付け構造の一例である。
【図６】サーミスタを用いた水位検出手段による給水のフローチャートである。
【図７】本発明の実施形態にかかるもので、第二水位検出手段による処理のフローチャートである。
【図８】本発明の実施形態にかかるもので、異常給水検出手段を複数個用いた時の一例を示すフローチャートである。
【図９】従来の異常給水時の処理を示すフローチャートである。
【符号の説明】
３…食器、２５…洗浄槽、２６…本体ケース、２９…食器棚、３１…ブラシレスモータ、３２…ポンプ羽根、３３…ノズルアーム、３６…洗浄液吸込ガイド、４６…ヒータ、４０…ポンプ羽根、５２…コントローラ、６７…第一水位検出手段、６８…第二水位検出手段。
【図１】
2004024287.tif 000003
【図２】
2004024287.tif 000004
【図３】
2004024287.tif 000005
【図４】
2004024287.tif 000006
【図５】
2004024287.tif 000007
【図６】
2004024287.tif 000008
【図７】
2004024287.tif 000009
【図８】
2004024287.tif 000010
【図９】
2004024287.tif 000011